(57)【要約】  一面に発光素子が実装された基板と、一側面が該基板の前記一面に対向しており、前記発光素子が発する光が前記一側面から入射され、一面から出射される導光板と、該導光板からの光にて画像表示を行う表示パネルと、該表示パネルを保持する保持部とを備える表示装置において、前記基板及び導光板の間に介在し、前記基板の前記一面及び前記導光板の前記一側面の対向方向での寸法が前記発光素子より大きい接触防止部を前記保持部に設け、前記基板及び前記導光板の接触を防止する。
2016009543.tif 000002
【特許請求の範囲】
【請求項１】
一面に発光素子が実装された基板と、一側面が該基板の前記一面に対向しており、前記発光素子が発する光が前記一側面から入射され、一面から出射される導光板と、該導光板からの光にて画像表示を行う表示パネルと、該表示パネルを保持する保持部とを備える表示装置において、
前記基板及び導光板の間に介在し、前記基板及び前記導光板の接触を防止する接触防止部が、前記導光板の厚み方向に沿って、前記保持部に設けられており、
該接触防止部は前記基板の前記一面及び前記導光板の前記一側面の対向方向での寸法が、前記発光素子より大きいことを特徴とする表示装置。
【請求項２】
前記接触防止部は前記基板の一面に沿って複数箇所に設けられていることを特徴とする請求項１に記載の表示装置。
【請求項３】
前記接触防止部は前記導光板の厚み方向での寸法が、該導光板より大きいことを特徴とする請求項１又は２に記載の表示装置。
【請求項４】
前記接触防止部は前記導光板の厚み方向を長手方向とする棒状を有し、前記基板の前記一面の直近に設けられていることを特徴とする請求項１から３の何れかに記載の表示装置。
【請求項５】
前記導光板の他面側に放熱部材を設けており、
該放熱部材は貫通孔を有し、
前記接触防止部の一端部が前記放熱部材の貫通孔に挿入されていることを特徴とする請求項４に記載の表示装置。
【請求項６】
前記接触防止部は、前記放熱部材の貫通孔から前記一端部が抜け出すことを止める抜け止め部を前記一端部の先端に有することを特徴とする請求項５に記載の表示装置。
【発明の詳細な説明】
【技術分野】
【０００１】
本発明は、一面に発光素子が実装された基板と、一側面が該基板の前記一面に対向しており、前記発光素子が発する光が前記一側面から入射され、一面から出射される導光板とを備え、該導光板からの光にて画像表示を行う表示装置に関する。
【背景技術】
【０００２】
液晶パネルの側面側から光を照射するいわゆるエッジ型の場合には液晶パネルの裏面側に、光源からの光を液晶パネルに導く導光板と、該光源から導光板に入射される光を液晶パネル側に反射する反射シートとを備えることが一般的である。【０００３】
このようなエッジ型の場合、輝度を高くするために、光源をできるだけ導光板の一側面に近づけて配置している。しかし、光源が発する熱により導光板が膨張した場合は、導光板の一側面側の端部が光源に当たり、該光源が破損してしまう問題が生じる。【０００４】
このような問題に対して、特許文献１の表示装置においては、発光ダイオードと、該発光ダイオードからの光が入光する入光面を有し、発光ダイオードからの光を所定の伝搬方向に導くとともに、液晶パネルに当該光を出射する導光板とを備え、該導光板の前記液晶パネル側端部付近に、前記発光ダイオードと前記入光面とが接触するのを防止する接触防止部材を更に設けたバックライト装置が開示されている。
【先行技術文献】
【特許文献】
【０００５】
【特許文献１】特開２０１３−１５７２６８号公報
【発明の概要】
【発明が解決しようとする課題】
【０００６】
しかしながら、特許文献１のバックライト装置においては、バックライト装置の運転中、発光ダイオードからの過度な発熱による導光板の大きさ、熱膨張、又は、何らかの原因による外部からの衝撃があった場合は、斯かる接触防止部材が発光ダイオードと入光面とが接触することを防止できないという問題がある。【０００７】
換言すれば、特許文献１のバックライト装置においては、発光ダイオードと導光板の側面（入光面）との接触を完全に防止できないという問題がある。【０００８】
本発明は、斯かる事情に鑑みてなされたものであり、その目的とするところは、一面に発光素子が実装された基板と、一側面が該基板の前記一面に対向しており、前記発光素子が発する光が前記一側面から入射され、一面から出射される導光板と、該導光板からの光にて画像表示を行う表示パネルと、該表示パネルを保持する保持部とを備える表示装置において、前記基板及び導光板の間に介在し、前記基板の前記一面及び前記導光板の前記一側面の対向方向での寸法が前記発光素子より大きい接触防止部を前記保持部に設け、前記基板及び前記導光板の接触を防止することにより、前記導光板の前記一側面側の端部が前記発光素子に当たって、該発光素子が破損してしまうことを未然に防止できる表示装置を提供することにある。
【課題を解決するための手段】
【０００９】
本発明に係る表示装置は、一面に発光素子が実装された基板と、一側面が該基板の前記一面に対向しており、前記発光素子が発する光が前記一側面から入射され、一面から出射される導光板と、該導光板からの光にて画像表示を行う表示パネルと、該表示パネルを保持する保持部とを備える表示装置において、前記基板及び導光板の間に介在し、前記基板及び前記導光板の接触を防止する接触防止部が、前記導光板の厚み方向に沿って、前記保持部に設けられており、該接触防止部は前記基板の前記一面及び前記導光板の前記一側面の対向方向での寸法が、前記発光素子より大きいことを特徴とする。【００１０】
本発明にあっては、前記保持部に設けられた前記接触防止部が、前記基板及び導光板の間に介在し、前記基板の前記一面及び前記導光板の前記一側面の対向方向での寸法が、前記発光素子より大きいので、前記導光板が前記基板側に変位した場合であっても、前記基板及び導光板の接触を防止する。【００１１】
本発明に係る表示装置は、前記接触防止部は前記基板の一面に沿って複数箇所に設けられていることを特徴とする。【００１２】
本発明にあっては、前記接触防止部は前記基板の一面に沿って複数箇所に設けられ、より確実に前記基板及び導光板の接触を防止する。【００１３】
本発明に係る表示装置は、前記接触防止部は前記導光板の厚み方向での寸法が、該導光板より大きいことを特徴とする。【００１４】
本発明にあっては、前記接触防止部は前記導光板の厚み方向での寸法が、該導光板より大きいことから、より確実に前記基板及び導光板の接触を防止する。【００１５】
本発明に係る表示装置は、前記接触防止部は前記導光板の厚み方向を長手方向とする棒状を有し、前記基板の前記一面の直近に設けられていることを特徴とする。【００１６】
本発明にあっては、前記接触防止部が棒状を有するので、確実に前記基板及び導光板の接触を防止でき、該接触防止部が前記基板の一面の直近に設けられており、該基板の動きを制限することにより、該基板の位置ずれを防止する。【００１７】
本発明に係る表示装置は、前記導光板の他面側に放熱部材を設けており、該放熱部材は貫通孔を有し、前記接触防止部の一端部が前記放熱部材の貫通孔に挿入されていることを特徴とする。【００１８】
本発明にあっては、前記接触防止部の前記一端部が前記放熱部材の貫通孔に挿入されることにより、前記基板の動きをより強固に制限するので、該基板の位置ずれを確実に防止する。【００１９】
本発明に係る表示装置は、前記接触防止部は、前記放熱部材の貫通孔から前記一端部が抜け出すことを止める抜け止め部を前記一端部の先端に有することを特徴とする。【００２０】
本発明にあっては、前記抜け止め部によって、前記放熱部材の貫通孔から前記接触防止部の前記一端部が抜け出すことを防止できる。
【発明の効果】
【００２１】
本発明によれば、熱膨張又は何らかの原因によって、前記導光板の前記一側面側の端部が前記発光素子に当たって該発光素子が破損してしまうことを未然に防止できる。
【図面の簡単な説明】
【００２２】
【図１】図１は本発明の実施の形態１に係るテレビジョン受像機の外観を示す正面図である。
【図２】図２は図１のＡ―Ａ線による縦断面図である。
【図３】図３は図２の縦断面図において、下部を拡大した拡大図である。
【図４】図４は本発明の実施の形態１に係るテレビジョン受像機における、光源部と、導光板と、接触防止部との位置関係を説明する説明図である。
【図５】図５は本発明の実施の形態２に係るテレビジョン受像機の縦断面図において、下部を拡大した拡大図である。
【図６】図６は本発明の実施の形態２に係るテレビジョン受像機の縦断面図において、下部を拡大した拡大図である。
【発明を実施するための形態】
【００２３】
以下に、本発明の実施の形態に係る表示装置を、テレビジョン受像機に適用した場合を例として、図面に基づいて詳述する。
【００２４】
（実施の形態１）
図１は本発明の実施の形態１に係るテレビジョン受像機の外観を示す正面図である。図中符号１００は、本発明の実施の形態１に係るテレビジョン受像機を示す。以下、説明の便宜上、図面視左右方向を横方向、図面視上下方向を縦方向という。
【００２５】
図２は図１のＡ―Ａ線による縦断面図であり、本発明の実施の形態１に係るテレビジョン受像機１００の要部を示す。本発明の実施の形態１に係るテレビジョン受像機１００は、図１に示したように、表側の一面に映像を表示する矩形の液晶表示パネル２を備えている。また、液晶表示パネル２の裏側には、液晶表示パネル２に光を照射する光源装置１が配置されている。
【００２６】
光源装置１は、光源部３と、光学シート４と、導光板５とを備えている。また、図３は図２の縦断面図において、下部を拡大した拡大図である。
【００２７】
光学シート４は一面が液晶表示パネル２の他面と対向するように配置されており、また、導光板５は一面が光学シート４の他面と対向するように配置されている。更に、導光板５の他面とその一面が対向するように反射シート１２が配置されている。
【００２８】
液晶表示パネル２の縁側には、フロントカバー７が配置されている。フロントカバー７は、ユーザによって視認される液晶表示パネル２の一面の形状に倣う中空の矩形の表示窓７１を有している。ユーザは表示窓７１を介して液晶表示パネル２の前記一面に表示される画像を視認することができる。
【００２９】
また、図２で示すように、液晶表示パネル２は、前記一面の周縁部が表示窓７１によって覆われている。より詳しくは、液晶表示パネル２の前記一面の周縁部に沿って設けられたクッションＣを介して、表示窓７１が液晶表示パネル２の周縁部を導光板５側に押し付けることにより、液晶表示パネル２を保持している。
【００３０】
また、液晶表示パネル２は前記他面に偏光板（図示せず）を設けており、該偏光板を用いて入射される光をＰ波（水平偏向成分）とＳ波（垂直偏向成分）に分離し、Ｐ波だけが一面に向けて出て行き、Ｓ波は該偏光板に吸収されるように構成されている。液晶表示パネル２は、例えば電気泳動液晶パネルであっても良い。
【００３１】
光学シート４は、光源部３から発せられ、導光板５を介して入射される光に対して拡散、集光等を行ない、より均一な光を液晶表示パネル２に向けて出射させる、公知のものである。例えば、光学シート４は、２枚の拡散シートと、１枚のプリズムシートとからなり、該プリズムシートは２枚の拡散シートの間に介在している。
【００３２】
前記２枚の拡散シートのうち導光板５側に配置された一の拡散シートは、導光板５を介して光源部３から入射される光を拡散させて前記プリズムシートに入射させる光学シートである。また、前記プリズムシートは、前記一の拡散シートを介して入射される光を集光して他の拡散シートに向けて出射させる光学シートである。前記プリズムシートを通過した光は、該プリズムシートに対して垂直に前記他の拡散シートへ入射される。
【００３３】
前記２枚の拡散シートのうち液晶表示パネル２側に配置された前記他の拡散シートは、前記プリズムシートを介して入射される光を更に拡散させてより均一な輝度分布にして液晶表示パネル２に向けて出射させる光学シートである。
【００３４】
光学シート４の他面側には、矩形の導光板５が配置されている。導光板５は光源部３が発する光を光学シート４（液晶表示パネル２）に導く。例えば、導光板５は、光学シート４の他面と対向する一面が、光源部３から入射された光が液晶表示パネル２方向に進行するようにパターンが形成された出射面を有するように構成してもよい。これによって、導光板５は、光源部３から入射される光を平面光に変えて前記出射面を通じて光学シート４に均一に伝達することができる。
【００３５】
また、導光板５は例えば透明度の高いアクリル樹脂からなり、導光板５の他面側には、反射シート１２が配置されている。すなわち、反射シート１２の一面は導光板５と他面と対向している。
【００３６】
反射シート１２は、導光板５と略等しい大きさを有し、導光板５に倣う矩形である。また、反射シート１２は光源部３から導光板５に入射される光を導光板５の他面側から乱反射させて導光板５の前記出射面を介して出射させる。
【００３７】
反射シート１２の他面側であって、反射シート１２の縁部にはスペーサー１１が配置されている。換言すれば、反射シート１２の縁部はスペーサー１１によって支えられ、後述する放熱板９との間隔が一定に保持される。スペーサー１１は樋形状であり、底の外側が反射シート１２の他面と接触している。
【００３８】
また、反射シート１２の他面側であって、縁部を除く部分（以下、剰余部分）には、いわゆるバックライトシャーシ１０が配置されている。換言すれば、反射シート１２の前記剰余部分は他面側からバックライトシャーシ１０によって支えられている。バックライトシャーシ１０は樋形状であり、底の外側が反射シート１２の剰余部分と接触している。すなわち、スペーサー１１及びバックライトシャーシ１０によって、反射シート１２（導光板５）と放熱板９との間隔が一定に保持される。
【００３９】
スペーサー１１及びバックライトシャーシ１０の底の内側に対向するように、放熱板９（放熱部材）が配置されている。放熱板９は、例えば、熱伝導性の優れたアルミニウムからなる。スペーサー１１及びバックライトシャーシ１０は放熱板９の一面に保持されている。
【００４０】
放熱板９は導光板５に倣う矩形状の底９２を有する箱形状をなしており、底９２は導光板５と略等しい寸法を有している。また、放熱板９は、底９２の各縁から導光板５側に立ち上がる側壁部を有している。該側壁部のうち、光源部３側の側壁部９１は、後述する光源部３の基板３２の他面側にて、該他面に沿って設けられている。換言すれば、側壁部９１は、後述するパネル保持部材８と、基板３２の間に介在している。
【００４１】
更に、本発明に係るテレビジョン受像機１００は、上述した、液晶表示パネル２、光学シート４及び光源部３等を保持するパネル保持部材８を備えている。パネル保持部材８は、例えば、合成樹脂製であって枠状を有し、液晶表示パネル２及び光学シート４の縁部に沿って設けられている。以下、パネル保持部材８のうち、前記縦方向において下方縁部、すなわち光源部３付近の部分を下方パネル保持部材８Ａと言う。
【００４２】
下方パネル保持部材８Ａは、図３に示すように、縦断面視クランク状をなしており、段差を有する保持部８２を有している。保持部８２は、液晶表示パネル２及び光学シート４の端部付近に設けられている。保持部８２の端部であって、光学シート４及び導光板５の間に介在する一端部には、後述する接触防止部８１が設けられている。また、保持部８２の他端部には、該他端部から導光板５の厚み方向に延びる脚板８３が設けられている。
【００４３】
保持部８２は、上述したように、縦断面視段差を有しており、光学シート４の面方向に沿って２つの扁平部が形成されている。前記２つの扁平部のうち、前記一端部側の扁平部８５の一面には、光学シート４の光源部３側端部が保持されている。
【００４４】
また、前記他端部側の扁平部８４の一面には、クッションを挟んで、液晶表示パネル２の光源部３側端部が配置されている。換言すれば、前記縦方向の下方においては、液晶表示パネル２の端部が、クッションＣを介して、フロントカバー７の表示窓７１及び下方パネル保持部材８Ａの扁平部８４によって挟持されている。
【００４５】
一方、縦方向における下方であって、導光板５の一側面付近には、光源部３が設けられている。光源部３は、導光板５の前記一側面に対して対向配置された短冊状の基板３２と、基板３２の長手方向に沿って基板３２の一面に実装された複数の光源３１，３１,・・・３１（発光素子）とを有する。
【００４６】
光源３１は、例えば、冷陰極蛍光ランプ（ＣＣＦＬ：Ｃｏｌｄ Ｃａｔｈｏｄｅ Ｆｌｕｏｒｅｓｃｅｎｃｅ Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）又は発光ダイオード（ＬＥＤ：Ｌｉｇｈｔ Ｅｍｉｔｔｉｎｇ Ｄｉｏｄｅ）等である。
【００４７】
また、保持部８２の扁平部８５の他面には、接触防止部８１が突設されている。図４は本発明の実施の形態１に係るテレビジョン受像機１００における、光源部３と、導光板５と、接触防止部８１との位置関係を説明する説明図である。説明の便宜上、液晶表示パネル２、光学シート４及び導光板５を省いた状態を示しており、破線にて導光板５の位置のみを表している。
【００４８】
接触防止部８１は扁平部８５の他面から導光板５の厚み方向に沿って延びる４角の棒状を有している。接触防止部８１は４つの外面のうち、対向する２つの外面が各々基板３２の一面及び導光板５の前記一側面と対向するように設けられている。すなわち、接触防止部８１は基板３２及び導光板５の間に介在しており、基板３２の前記一面の直近に配置されている。また、接触防止部８１は、基板３２の前記一面に沿って、複数箇所に一定間隔を隔てて設けられている。尚、例えば、接触防止部８１は、導光板５の前記一側面の両端側の２箇所に設けても良く、該２箇所に加え、導光板５の前記一側面の長手方向の中央に更に設けても良い。
【００４９】
接触防止部８１は、長手方向の寸法、すなわち、導光板５の厚み方向における寸法が、導光板５（厚み）より大きい。また、接触防止部８１は、基板３２の前記一面及び導光板５の前記一側面の対向方向における寸法が、光源３１より大きい。換言すれば、接触防止部８１は、基板３２の一面に対して垂直方向に、光源３１よりも突出している。
【００５０】
本発明の実施の形態１に係るテレビジョン受像機１００においては、このように、基板３２の前記一面及び導光板５の前記一側面の間に接触防止部８１が介在しているので、導光板５の膨張によって、又は外部からの衝撃によって、導光板５が光源３１に当たり、光源３１が破損することを未然に防止できる。
【００５１】
すなわち、テレビジョン受像機１００の運転中は、光源３１が光と共に熱を発するので、光源３１の付近に位置する導光板５が熱膨張する。一方、一般には、液晶表示パネル２における輝度を高くするために、僅かな間隔を挟んで光源３１をできるだけ導光板５の前記一側面に近づけて配置する必要がある。従って、導光板５の熱膨張が前記間隔を超えて起きた場合は、導光板５の前記一側面側の端部が光源３１に当たり、光源３１が破損してしまう。
【００５２】
また、何らかの原因によって、外部からテレビジョン受像機１００に衝撃が加えられた場合、斯かる衝撃により導光板５が振動して前記一側面側の端部が光源３１に当たり、光源３１が破損してしまう虞もある。
【００５３】
これに対して、本発明の実施の形態１に係るテレビジョン受像機１００においては、上述したように、接触防止部８１が、基板３２の一面に対して垂直方向に、光源３１より突出している。従って、導光板５が熱膨張した場合、又は外部からの衝撃を受けた場合、導光板５と光源３１との接触が接触防止部８１によって阻止され、光源３１が破損されることを未然に防止できる。
【００５４】
更に、接触防止部８１が、基板３２の前記一面に沿って、複数箇所に設けられているので、より確実に、導光板５と光源３１との接触による光源３１の破損を未然に防止できる。
【００５５】
更に、本発明の実施の形態１に係るテレビジョン受像機１００においては、上述したように、接触防止部８１が基板３２の前記一面の直近に配置されている。従って、接触防止部８１により基板３２の移動が制限されるので、外部からの衝撃等何らかの原因によって、基板３２の位置が導光板５の前記一側面側に変位することを未然に防止できる。
【００５６】
かつ、これに限るものでなく、接触防止部８１が基板３２の前記一面と接するように構成しても良い。
【００５７】
上述したように、接触防止部８１は４角の棒状を有しているが、長手方向に沿うエッジに対してＣ面カット又はＲ面カット等の面取りの処理を施している。従って、光源３１から出光する光が進行の際広がる場合であっても、接触防止部８１によって該光の進行が邪魔されることはない。
【００５８】
以上の記載においては、接触防止部８１が、基板３２の前記一面に沿って、複数箇所に設けられている場合を例として説明したが、本発明の実施の形態１に係るテレビジョン受像機１００はこれに限るものでない。例えば、接触防止部８１を導光板５の前記一側面の長手方向の中央に一つ設けた構成であっても良い。
【００５９】
また、以上の記載においては、光源部３が縦方向の下部に設けた場合を例として説明したが、本発明の実施の形態１に係るテレビジョン受像機１００はこれに限るものでない。例えば、縦方向の上部、又は、横方向の一端又は両端に設けた構成であっても良い。
【００６０】
また、以上の記載においては、接触防止部８１が棒状を有している場合を例として説明したが、本発明の実施の形態１に係るテレビジョン受像機１００はこれに限るものでない。例えば、接触防止部８１が半球等の突起であり、基板３２の前記一面に突設された構成であっても良い。
【００６１】
更に、以上の記載においては、接触防止部８１が４角の棒状である場合を例として説明したが、これに限るものでなく、５角棒状、円柱形状、プリズム形状等を有するように構成しても良い。
【００６２】
本発明においては、接触防止部８１が保持部８２（パネル保持部材８）と一体として形成されているので、接触防止部８１を撮り付けるための構成上の工夫が必要なく、接触防止部８１を取り付ける組立上の手間を省くことができる。
【００６３】
また、以上の記載においては、接触防止部８１を保持部８２（パネル保持部材８）に設けた場合を例として説明したが、本発明の実施の形態１に係るテレビジョン受像機１００はこれに限るものでない。例えば、基板３２に設けてもよく、放熱板９に設けても良い。
【００６４】
（実施の形態２）
本発明の実施の形態２に係るテレビジョン受像機１００は、実施の形態１に係るテレビジョン受像機１００と略同様の構成を有するが、接触防止部８１及び放熱板９の構成において相違する。以下、詳しく説明する。
【００６５】
図５は本発明の実施の形態２に係るテレビジョン受像機１００の縦断面図において、下部を拡大した拡大図である。本発明の実施の形態２に係るテレビジョン受像機１００において、接触防止部８１は、実施の形態１のそれより、長手方向の寸法が大きい。また、接触防止部８１の放熱板９側の一端部は後述する貫通孔９３に挿入されている。
【００６６】
更に、放熱板９はその厚み方向における、接触防止部８１との整合位置に、その厚み方向に貫通する貫通孔９３を有している。貫通孔９３は接触防止部８１に倣う形状を有しており、接触防止部８１より少し大きい寸法を有している。
【００６７】
すなわち、貫通孔９３は放熱板９の厚み方向から見て矩形であり、接触防止部８１の放熱板９側の前記一端部が挿入され得るように構成されている。
【００６８】
このような構成によって、基板３２の変位をより強固に制限することができ、外部からの衝撃等何らかの原因によって、基板３２の位置がずれることをより確実に未然に防止できる。
【００６９】
実施の形態１と同様の部分については、同一の符号を付して詳細な説明を省略する。
【００７０】
（実施の形態３）
本発明の実施の形態３に係るテレビジョン受像機１００は、実施の形態１に係るテレビジョン受像機１００と略同様の構成を有するが、接触防止部８１及び放熱板９の構成において相違する。以下、詳しく説明する。
【００７１】
図６は本発明の実施の形態２に係るテレビジョン受像機１００の縦断面図において、下部を拡大した拡大図である。本発明の実施の形態３に係るテレビジョン受像機１００において、接触防止部８１は、実施の形態１のそれより、長手方向の寸法が大きく、接触防止部８１の放熱板９側の一端部が貫通孔９３に挿入されている。
【００７２】
また、接触防止部８１の放熱板９側の一端部には、フック形状の抜け止め部８１１を設けている。抜け止め部８１１は、放熱板９の貫通孔９３から接触防止部８１の前記一端部が抜け出すことを止める。
【００７３】
また、放熱板９はその厚み方向における、接触防止部８１との整合位置に、その厚み方向に貫通する貫通孔９３を有している。貫通孔９３については実施の形態２において、既に説明しており、詳しい説明を省略する。
【００７４】
このような構成によって、本発明の実施の形態３に係るテレビジョン受像機１００においても、外部からの衝撃等何らかの原因によって、基板３２の位置がずれることをより確実に未然防止できる。
【００７５】
実施の形態１と同様の部分については、同一の符号を付して詳細な説明を省略する。
【符号の説明】
【００７６】
５  導光板
９  放熱板
３１  光源
３２  基板
８１  接触防止部
９３  貫通孔
１００  テレビジョン受像機
８１１  抜け止め部
【図１】
2016009543.tif 000003
【図２】
2016009543.tif 000004
【図３】
2016009543.tif 000005
【図４】
2016009543.tif 000006
【図５】
2016009543.tif 000007
【図６】
2016009543.tif 000008
【手続補正書】
【提出日】平成28年11月30日(2016.11.30)
【手続補正１】
【補正対象書類名】明細書
【補正対象項目名】００１１
【補正方法】変更
【補正の内容】
【００１１】
本発明に係る表示装置は、前記接触防止部は前記基板の前記一面に沿って複数箇所に設けられていることを特徴とする。
【手続補正２】
【補正対象書類名】明細書
【補正対象項目名】００２２
【補正方法】変更
【補正の内容】
【００２２】
【図１】図１は本発明の実施の形態１に係るテレビジョン受像機の外観を示す正面図である。
【図２】図２は図１のＡ―Ａ線による縦断面図である。
【図３】図３は図２の縦断面図において、下部を拡大した拡大図である。
【図４】図４は本発明の実施の形態１に係るテレビジョン受像機における、光源部と、導光板と、接触防止部との位置関係を説明する説明図である。
【図５】図５は本発明の実施の形態２に係るテレビジョン受像機の縦断面図において、下部を拡大した拡大図である。
【図６】図６は本発明の実施の形態３に係るテレビジョン受像機の縦断面図において、下部を拡大した拡大図である。
【手続補正３】
【補正対象書類名】明細書
【補正対象項目名】００７１
【補正方法】変更
【補正の内容】
【００７１】
図６は本発明の実施の形態３に係るテレビジョン受像機１００の縦断面図において、下部を拡大した拡大図である。本発明の実施の形態３に係るテレビジョン受像機１００において、接触防止部８１は、実施の形態１のそれより、長手方向の寸法が大きく、接触防止部８１の放熱板９側の一端部が貫通孔９３に挿入されている。
【手続補正４】
【補正対象書類名】特許請求の範囲
【補正対象項目名】全文
【補正方法】変更
【補正の内容】
【特許請求の範囲】
【請求項１】
一面に発光素子が実装された基板と、一側面が該基板の前記一面に対向しており、前記発光素子が発する光が前記一側面から入射され、一面から出射される導光板と、該導光板からの光にて一面に画像表示を行う表示パネルと、一面が前記表示パネルの他面と対向しかつ他面が前記導光板の前記一面と対向するように配置された光学シートと、前記表示パネル及び前記光学シートを保持する保持部とを備える表示装置において、
前記基板及び導光板の間に介在し、前記基板及び前記導光板の接触を防止する、前記導光板の厚み方向を長手方向とする棒状を有する接触防止部が、前記導光板の厚み方向に沿って、前記光学シートと前記導光板との間に介在する前記保持部の一端部に設けられており、
該接触防止部は前記基板の前記一面及び前記導光板の前記一側面の対向方向での寸法が、前記発光素子より大きいことを特徴とする表示装置。
【請求項２】
前記接触防止部は前記基板の前記一面に沿って複数箇所に設けられていることを特徴とする請求項１に記載の表示装置。
【請求項３】
前記接触防止部は前記導光板の厚み方向での寸法が、該導光板より大きいことを特徴とする請求項１又は２に記載の表示装置。
【請求項４】
前記接触防止部は前記導光板の厚み方向での寸法が、前記基板よりも大きいことを特徴とする請求項３に記載の表示装置。
【請求項５】
前記接触防止部は、前記基板の前記一面の直近に設けられていることを特徴とする請求項１から４の何れか一項に記載の表示装置。
【請求項６】
前記導光板の他面側に配された底部と該底部の各縁から前記導光板側に立ち上がる側壁部とを有する放熱部材をさらに備え、
前記側壁部の一部が前記基板の他面と向かい合うことを特徴とする請求項１から５の何れか一項に記載の表示装置。
【請求項７】
前記放熱部材の前記底部は、その厚み方向に沿って貫通する貫通孔を有し、
前記接触防止部における前記保持部から遠位の一端部が前記放熱部材の前記貫通孔に挿入されていることを特徴とする請求項６に記載の表示装置。
【請求項８】
前記接触防止部は、前記放熱部材の貫通孔から前記一端部が抜け出すことを止める抜け止め部を前記一端部の先端に有することを特徴とする請求項７に記載の表示装置。
【手続補正５】
【補正対象書類名】図面
【補正対象項目名】図５
【補正方法】変更
【補正の内容】
【図５】
2016009543.tif 000009
【手続補正６】
【補正対象書類名】図面
【補正対象項目名】図６
【補正方法】変更
【補正の内容】
【図６】
2016009543.tif 000010
【国際調査報告】
2016009543.tif 000011
2016009543.tif 000012